(57)【要約】      （修正有）【課題】光案内輪を設けることにより光源の周囲に陰影が生じない様にした光輪式ＬＥＤ灯具を提供する。【解決手段】灯座１０を有し、上記灯座に、収納槽１１が形成され、また、開口が形成され、上記収納槽に、ＬＥＤ光源１２が設置され、上記開口の周縁に、リング状に光案内輪２０を設置される。これにより、上記ＬＥＤ光源が発光する時、小部分の光線が、上記光案内輪へ入射して、上記光案内輪が、発光することにより、上記開口の周縁に、光のリングが形成される。この構成により、上記光輪式ＬＥＤ灯具の周囲に対して照明できるだけでなく、上記光案内輪によって発光した着色光により、空間全体としての装飾美感が向上する効果を奏する。【選択図】図４
0003175555.tif 000002
【実用新案登録請求の範囲】
【請求項１】
一側にＬＥＤ光源が設置された収納槽が形成され、開口が形成される灯座と、
リング状に上記灯座の開口に設置され、リング状内壁面に入射部が形成され、リング状外壁面に射出部が設けられる光案内輪と、
上記光案内輪に設置され、上記灯座の開口を覆うように設置される灯笠と
を含有する
ことを特徴とする光輪式ＬＥＤ灯具。
【請求項２】
上記入射部が、上記ＬＥＤ光源に向かって設置された傾斜面で、上記射出部が、上記収納槽の外へ向かうように設置された傾斜面であることを特徴とする請求項１に記載の光輪式ＬＥＤ灯具。
【請求項３】
上記入射部と上記射出部が、ともに、切断面であることを特徴とする請求項１に記載の光輪式ＬＥＤ灯具。
【請求項４】
上記灯座において、上記開口の周縁に、外へ向かうように、リング状にフランジが設けられ、上記フランジに、複数の固定孔が形成され、上記光案内輪において、上記らの固定孔に貫設して固定されるように、対応する固定柱が設けられて、上記光案内輪が、上記フランジに固定されることを特徴とする請求項１に記載の光輪式ＬＥＤ灯具。
【請求項５】
上記光案内輪のリング状内壁面に、リング状に、嵌合槽が設けられ、上記灯笠の周縁が、リング状に、上記嵌合槽に嵌合リブが設けられ、上記嵌合リブが上記嵌合槽と嵌合するように、上記灯笠が、上記光案内輪に固定されることを特徴とする請求項１に記載の光輪式ＬＥＤ灯具。
【考案の詳細な説明】
【技術分野】
【０００１】
本考案は、ＬＥＤ灯具に関するものであり、さらに詳しくは、ＬＥＤ光源の周囲に陰影が生じない光輪式ＬＥＤ灯具に関するものである。
【背景技術】
【０００２】
ＬＥＤ（発光ダイオード）の技術発展とともに、ＬＥＤの照明効果が、大幅に向上したため、ＬＥＤを灯具の発光源として利用することが開発されてきた。そのなかで図１に示すように、従来のＬＥＤ灯具は、灯座１を有し、上記灯座１の一側に、収納槽２が形成され、上記収納槽２に、ＬＥＤ光源３が設置されている。また、上記灯座１の周縁に、リング状にフランジ４が設けられ、これにより、上記従来のＬＥＤ灯具が、天井５に設置された後、上記ＬＥＤ光源３により、上記天井５の下方にある空間に対して、照明効果を提供することができる。
【０００３】
しかしながら、ＬＥＤは、直射光であるため、上記灯座１の周囲に対して、照明効果を提供できず、上記天井５において、上記灯座１の近くが、暗くなり、上記灯座１の周囲において、容易に、陰影領域が形成される。また、上記の従来のＬＥＤ灯具は、上記天井５に実装された後、その一部の構造が、上記天井５の外へ露出する。本実施形態において、上記天井５に残され、実装するための空間である予設空間6を覆うように、上記フランジ４を上記天井５の外へ露出させ、また、上記天井５の装飾一致性を失わないように、上記灯座１に対して、着色或いは塗料焼き付けを行うが、上記の方法によれば、生産コストが向上し、環境汚染にも悪影響を与えるだけでなく、装飾向上効果も十分得ることができないという問題があった。
【考案の概要】
【考案が解決しようとする課題】
【０００４】
従って、本考案の課題は、装飾効果が向上することだけでなく、灯具の周囲に照明効果を及ぼすことができ、従来のＬＥＤ灯具の周囲に、容易に陰影領域が形成される等の諸欠点を効果的に解消できる光輪式ＬＥＤ灯具を提供することにある。
【課題を解決するための手段】
【０００５】
そこで、本考案者は、前記の本考案の課題を解決するために鋭意検討を重ねた結果、後述のように光案内輪を設けることにより前記課題を解決できることに着目し、かかる知見に基いて本考案に想到するに至った。
【０００６】
かくして、請求項１の考案によれば、一側に、ＬＥＤ光源が設置された収納槽が形成され、開口が形成される灯座と、
リング状に上記灯座の開口に設置され、リング状内壁面に入射部が形成され、リング状外壁面に、射出部が設けられる光案内輪と、
上記光案内輪に設置され、上記灯座の開口を覆うように設置される灯笠とを含有することを特徴とする光輪式ＬＥＤ灯具
が提供される。
【０００７】
請求項２の考案によれば、上記入射部が、上記ＬＥＤ光源に向かって設置された傾斜面であり、上記射出部が、上記収納槽の外へ向かうように設置された傾斜面であることを特徴とする請求項１に記載の光輪式ＬＥＤ灯具が提供される。
【０００８】
請求項３の考案によれば、上記入射部と上記射出部が、ともに、霧面であることを特徴とする請求項１に記載の光輪式ＬＥＤ灯具が提供される。
【０００９】
請求項４の考案によれば、上記灯座において、上記開口の周縁に、外側へ向かうように、リング状にフランジが設けられ、上記フランジに、複数の固定孔が形成され、上記光案内輪において、上記らの固定孔に貫設して固定されるように、対応する固定柱が設けられて、上記光案内輪が、上記フランジに固定されることを特徴とする請求項１に記載の光輪式ＬＥＤ灯具が提供される。
【００１０】
請求項５の考案によれば、上記光案内輪のリング状内壁面に、リング状に、嵌合槽が設けられ、上記灯笠の周縁が、リング状に、上記嵌合槽に嵌合リブが設けられ、上記嵌合リブが上記嵌合槽と嵌合するように、上記灯笠が、上記光案内輪に固定されることを特徴とする請求項１に記載の光輪式ＬＥＤ灯具が提供される。
【考案の効果】
【００１１】
本考案は、上記の通りの構成からなり、ＬＥＤ灯具の周囲に生ずる陰影領域の形成を防止し、空間全体として装飾美感にすぐれた雰囲気を形成することができる。
【考案を実施するための最良の形態】
【００１２】
以下、図面を参照しながら、本考案の特徴や技術内容について、詳しく説明するが、それらの図面等は、参考や説明のためであり、本考案は、それによって限定されるものではない。
【００１３】
図２乃至図４は、本考案のよりよい実施形態である光輪式ＬＥＤ灯具１００を示すものである。上記光輪式ＬＥＤ灯具１００は、天井灯や壁嵌入灯、電球及び昼光電球等の形態でもよい。本実施形態においての壁嵌入灯は、一つの実施形態であり、本考案の範囲は、それによって限定されるものではない。上記光輪式ＬＥＤ灯具１００の構成は、次の通りである。
【００１４】
灯座１０は、一側に、収納槽１１が設けられ、また、開口１１１が形成され、上記収納槽１１に、ＬＥＤ光源１２が設置され、上記開口１１１の周縁において、外へ向かうように、リング状にフランジ１３が形成され、また、上記フランジ１３に、複数の固定孔１４が形成される。
【００１５】
光案内輪２０は、色を有するアクリルや光ファーバー等の材質からなり、リング状に、上記灯座１０の開口１１１に設置され、図５のように、上記光案内輪２０に、上記の固定孔１４に対応する固定突起部２１が設置され、上記固定突起部２１が、上記固定孔１４に貫設されて固定される。これにより、上記光案内輪２０が、上記灯座１０のフランジ１３に固定され、上記光案内輪２０のリング状内壁面に、入射部２２が設置されて、上記光案内輪２０のリング状外壁面に、射出部２３が形成され、上記入射部２２が、上記ＬＥＤ光源１２に向かうように設置された傾斜面で、上記射出部２３が、上記収納槽１１の外へ向かうように形成された傾斜面であり、上記入射部２２と上記射出部２３が、ともに、切断面であり、上記光案内輪２０のリング状内壁面に、更に、リング状に嵌合槽２４が形成される。
【００１６】
灯笠３０は、上記灯座１０の開口１１１を覆うように、上記光案内輪２０に設置され、本実施形態において、上記灯笠３０の周縁において、上記嵌合槽２４に対応する位置に、リング状に嵌合リブ３１が形成され、上記嵌合リブ３１が、上記嵌合槽２４に嵌設されることにより、上記灯笠３０が、上記光案内輪２０のリング状内壁面に嵌設される。
【００１７】
また、図６と図７に示すように、ユーザーにより、上記光輪式ＬＥＤ灯具１００を、直接に、天井２００上の予設空間２０１に嵌設して固定することにより、ユーザーが、上記光輪式ＬＥＤ灯具をオンして、上記ＬＥＤ光源１２が、発光する場合、上記光案内輪２０が、リング状に上記灯座１０の開口１１１に設置され、また、上記光案内輪２０のリング状内壁面に、上記入射部２２が設けられ、上記光案内輪２０のリング状外壁面に、上記射出部２３が設けられるため、大部分の光線が、直接に、上記灯笠３０に透過し、上記天井２００の下方にある空間を照明できる。また、小部分の光線が、上記入射部２２から上記光案内輪２０へ入射して、上記光案内輪２０を透過した後、上記射出部２３から射出し、上記光案内輪２０が、発光する。これにより、上記灯座１０の開口１１１の周縁において、光のリングが形成され、上記光輪式ＬＥＤ灯具１００の周囲に対して、照明することだけでなく、有効に、従来のＬＥＤ灯具の周囲に、容易に陰影領域が形成される欠点が解消する。そして、上記光案内輪２０によって発光した着色光によって、空間全体として、装飾美感が向上し、好感を持てる雰囲気を形成することができる。
【００１８】
上記入射部２２は、上記ＬＥＤ光源１２に向かって設置された傾斜面であるため、比較的多く光を受ける面積が得られ、これにより、上記光案内輪２０への入射量が増大し、上記光案内輪２０が、より明るくなる。
【００１９】
また、上記光案内輪２０は、上記の固定突起部２１を上記固定孔１４に貫設することにより、上記灯座１０に固定されるため、ユーザーが、装飾の需要に応じて、自由に異なる色の光案内輪２０を交換することができ、特に、蛍光色であり、これにより、光案内輪で、異なる色の光を発光でき、空間全体としての装飾美感が一段と向上し、より柔らかい雰囲気が形成される。
【００２０】
また、上記光案内輪が、上記灯座１０のフランジ１３に固定されるため、上記灯座１０の上記天井２００から露出した部分を美化でき、そのため、上記光輪式ＬＥＤ灯具１００を生産製造する時、着色や塗料焼き付け等の工程を省略でき、環境保護やコストダウンの効果が得られる。
【００２１】
以上、本考案のより良い実施形態について説明したが、本考案は、それによって限定されるものでは無く、本考案に係わる実用新案登録請求の範囲や明細書の内容に基づいて行った等価の変更や修正は、全てが、本考案の実用新案登録請求の範囲内に含まれる。
【図面の簡単な説明】
【００２２】
【図１】従来のＬＥＤ灯具の使用概念図である。
【図２】本考案の一実施形態によるＬＥＤ灯具の斜視図である。
【図３】本考案の一実施形態によるＬＥＤ灯具の分解斜視図である。
【図４】本考案の一実施形態によるＬＥＤ灯具の断面図である。
【図５】本考案の一実施形態によるＬＥＤ灯具のフランジの局部拡大断面図である。
【図６】本考案の一実施形態によるＬＥＤ灯具の使用概念図であり、上記ＬＥＤ光源が発光していない状態図である。
【図７】本考案の一実施形態によるＬＥＤ灯具の使用概念図であり、上記ＬＥＤ光源が発光している状態図である。
【符号の説明】
【００２３】
従来
１  灯座
２  収納槽
３  ＬＥＤ光源
４  フランジ
５  天井
６  予設空間
本考案
１０    灯座
１００  光輪式ＬＥＤ灯具
１１    収納槽
１１１  開口
１２    ＬＥＤ光源
１３    フランジ
１４    固定孔
２０    光案内輪
２００  天井
２０１  予設空間
２１    固定突起部
２２    入射部
２３    射出部
２４    嵌合槽
３０    灯笠
３１    嵌合リブ
【図１】
0003175555.tif 000003
【図２】
0003175555.tif 000004
【図３】
0003175555.tif 000005
【図４】
0003175555.tif 000006
【図５】
0003175555.tif 000007
【図６】
0003175555.tif 000008
【図７】
0003175555.tif 000009